(57)【要約】【課題】各階床の乗り場から乗りかごが到着するまでの待ち時間を把握することができるエレベータの乗り場表示装置を提供する。【解決手段】実施形態のエレベータの乗り場表示装置１は、建造物１００の乗りかご１０３が停止する階床１１０に設けられている。エレベータの乗り場表示装置１は、複数の階床表示部と、制御手段２０とを備える。階床表示部は、乗りかご１０３が停止する階床１１０に対応しかつ点灯可能である。制御手段２０は、複数の階床表示部のうち呼び登録装置から呼び登録及び行先階登録装置から行先階登録された階床１１０に対応する階床表示部と、乗りかご１０３が位置する階床１１０に対応する階床表示部と、を異なる態様で点灯させる。【選択図】図１
2015168549.tif 000002
【特許請求の範囲】
【請求項１】
建造物の乗りかごが停止する階床に設けられたエレベータの乗り場表示装置において、
前記乗りかごが停止する階床に対応しかつ点灯可能な複数の階床表示部と、
前記複数の階床表示部のうち呼び登録装置から呼び登録された階床に対応する階床表示部及び行先階登録装置から行先階登録された階床に対応する階床表示部と、前記乗りかごが位置する階床に対応する階床表示部と、を異なる態様で点灯させる制御手段と、を備える
ことを特徴とするエレベータの乗り場表示装置。
【請求項２】
前記乗りかごの行先方向を示しかつ点灯可能な行先方向表示部を備え、
前記制御手段は、前記行先方向表示部と、前記乗りかごが位置する階床に対応する階床表示部と、を同じ態様で点灯させる
ことを特徴とする請求項１記載のエレベータの乗り場表示装置。
【請求項３】
前記制御手段は、
前記乗りかごが位置する階床に対応する階床表示部を連続的に点灯させ、
前記呼び登録された階床に対応する階床表示部及び前記行先階登録された階床に対応する階床表示部を点滅させる
ことを特徴とする請求項１又は請求項２記載のエレベータの乗り場表示装置。
【発明の詳細な説明】
【技術分野】
【０００１】
本発明の実施形態は、エレベータの乗り場表示装置に関する。
【背景技術】
【０００２】
従来、エレベータは、各階床に設けられた呼び登録装置の呼び釦の操作による呼び登録、及び、乗りかご内に設けられた行先階登録装置の行先階釦の操作による行先階登録などに基づいて、乗客などを建造物の所望の階床に運搬する。この種のエレベータの乗りかごが停止する各階床には、乗りかごが位置する階床を示す乗り場表示装置が設けられている。
【先行技術文献】
【特許文献】
【０００３】
【特許文献１】特開平０４−３２７４７４号公報
【発明の概要】
【発明が解決しようとする課題】
【０００４】
ところで、従来技術においては、各階床の乗り場から乗りかごが到着するまでの待ち時間を把握できることが望まれている。
【０００５】
したがって、本発明が解決しようとする課題は、各階床の乗り場から乗りかごが到着するまでの待ち時間を把握することができるエレベータの乗り場表示装置を提供することにある。
【課題を解決するための手段】
【０００６】
実施形態のエレベータの乗り場表示装置は、建造物の乗りかごが停止する階床に設けられている。エレベータの乗り場表示装置は、複数の階床表示部と、制御手段とを備える。階床表示部は、乗りかごが停止する階床に対応しかつ点灯可能である。制御手段は、複数の階床表示部のうち呼び登録装置から呼び登録及び行先階登録装置から行先階登録された階床に対応する階床表示部と、乗りかごが位置する階床に対応する階床表示部と、を異なる態様で点灯させる。
【図面の簡単な説明】
【０００７】
【図１】図１は、実施形態に係るエレベータの乗り場表示装置が設けられるエレベータの全体の構成を模式的に示す説明図である。
【図２】図２は、実施形態に係るエレベータの行先階登録装置の正面図である。
【図３】図３は、実施形態に係るエレベータの乗り場の正面図である。
【図４】図４は、実施形態に係るエレベータの乗りかごが最上階に位置した状態の乗り場表示装置などの正面図である。
【図５】図５は、図４に示された状態から乗りかごが下方に移動する状態の乗り場表示装置などの正面図である。
【図６】図６は、図５に示された状態から乗りかごが４階に位置した状態の乗り場表示装置などの正面図である。
【図７】図７は、図６に示された状態から乗りかごが２階に位置した状態の乗り場表示装置などの正面図である。
【図８】図８は、図７に示された状態から乗りかごが１階に停止した状態の乗り場表示装置などの正面図である。
【図９】図９は、実施形態の変形例に係るエレベータの乗り場表示装置が設けられるエレベータの全体の構成を模式的に示す説明図である。
【発明を実施するための形態】
【０００８】
［実施形態］
本発明の実施形態に係るエレベータの乗り場表示装置を図面に基いて説明する。図１は、実施形態に係るエレベータの乗り場表示装置が設けられるエレベータの全体の構成を模式的に示す説明図、図２は、実施形態に係るエレベータの行先階登録装置の正面図、図３は、実施形態に係るエレベータの乗り場の正面図である。
【０００９】
実施形態に係るエレベータの乗り場表示装置１（図３などに示し、以下、単に表示装置と記す）は、図１に示されたエレベータ１０１が設置される建造物１００（建築物ともいう）の乗りかご１０３が停止する各階床１１０に設けられて、各階床１１０の乗りかご１０３に乗り込む予定の乗客などに各種の情報を表示する。エレベータ１０１は、建造物１００の昇降路１００ａ内に設置されて、乗りかご１０３内の行先階登録装置１０５（図２に示す）の操作による行先階登録及び各階床１１０に設けられた呼び登録装置１０２（図３に示す）の操作による呼び登録に基づいて乗客などを建造物１００の所望の階床１１０に運搬する。各階床１１０には、図３に示すように、出入口１１０ａを開閉するホール側ドア１１０ｂが設けられている。
【００１０】
エレベータ１０１は、図１に示すように、呼び登録装置１０２（図２に示す）と、乗りかご１０３と、カウンタウェイト１０４と、駆動機構１０７と、表示装置１などを備えている。
【００１１】
呼び登録装置１０２は、建造物の各階床１１０に一つ設けられている。呼び登録装置１０２は、制御手段２０に呼び登録を行い、乗りかご１０３を呼び登録に対応する階床１１０に着床させた後、戸開させるためのものである。
【００１２】
呼び登録装置１０２は、図３に示すように、アップ登録釦（呼び釦に相当）１０２ａと、ダウン登録釦（呼び釦に相当）１０２ｂとを有している。アップ登録釦１０２ａとダウン登録釦１０２ｂとは、上から順に並べられている。
【００１３】
アップ登録釦１０２ａは、呼び登録装置１０２が設けられた階床１１０よりも上の階床１１０へ移動したい旨の呼び登録を制御手段２０にするものである。アップ登録釦１０２ａは、各階床１１０の乗り場に位置する乗客が、上の階床１１０へ移動する際に押下操作する。ダウン登録釦１０２ｂは、呼び登録装置１０２が設けられた階床１１０よりも下の階床１１０へ移動したい旨の呼び登録を制御手段２０にするものである。ダウン登録釦１０２ｂは、各階床１１０の乗り場に位置する乗客が、下の階床１１０へ移動する際に押下操作する。なお、登録釦１０２ａ，１０２ｂが押下されたことを示す釦オン信号は、制御手段２０に出力される。
【００１４】
乗りかご１０３は、図示しないかご用ガイドレールにより、鉛直方向に昇降自在に支持されている。乗りかご１０３は、乗客を収容するかご室１０３ａを備えている。かご室１０３ａは、箱状に形成されて、内側に乗客などを収容可能である。かご室１０３ａには、かご室１０３ａの出入口１０３ｂを開閉するかご側ドア１０３ｃが一以上設けられている。また、かご室１０３ａ内には、図２に示された行先階登録装置１０５が設けられている。
【００１５】
行先階登録装置１０５は、乗りかご１０３のかご室１０３ａ内に一つ設けられている。行先階登録装置１０５は、制御手段２０に行先階を登録し、乗りかご１０３を行先階の階床１１０に着床させた後、戸開させるためのものである。
【００１６】
行先階登録装置１０５は、図２に示すように、かご側ドア１０３ｃを戸開させるための戸開釦１０５ａと、かご側ドア１０３ｃを戸閉させるための戸閉釦１０５ｂなどを有している。戸開釦１０５ａは、乗りかご１０３内の乗客がかご側ドア１０３ｃを戸開させる又はかご側ドア１０３ｃを戸開させる時間を延ばす際に押下操作する。戸閉釦１０５ｂは、乗りかご１０３内の乗客がかご側ドア１０３ｃを戸閉させる際に押下操作する。戸開釦１０５ａ及び戸閉釦１０５ｂは水平方向に並べられている。
【００１７】
また、行先階登録装置１０５は、各階床１１０と１対１の関係で対応した行先階釦１０５ｃを備えている。行先階釦１０５ｃは、行先階の階床１１０を制御手段２０に登録するものである。行先階釦１０５ｃは、乗りかご１０３内の乗客が、移動したい階床１１０に対応したものを押下操作する。行先階釦１０５ｃは、戸開釦１０５ａ及び戸閉釦１０５ｂの下方に上の階床１１０に対応するものから順に設けられている。
【００１８】
また、乗りかご１０３には、乗りかご１０３の昇降路１００ａ内の位置、即ち、乗りかご１０３の通過又は停止中の階床１１０を検出し、検出結果を制御手段２０に出力する位置検出装置１０３ｄと、制御手段２０と位置検出装置１０３ｄ及び行先階登録装置１０５とを接続する図示しないテールコードとが取り付けられている。
【００１９】
カウンタウェイト１０４は、図示しないウェイト用ガイドレールにより、鉛直方向に移動自在に支持されている。また、乗りかご１０３には、メインロープ１０６の一端部が取り付けられ、カウンタウェイト１０４には、メインロープ１０６の他端部が取り付けられている。メインロープ１０６は、駆動機構１０７の駆動シーブ１０７ａに掛渡されて、乗りかご１０３とカウンタウェイト１０４とが互いに上下反対方向に昇降するように設けられている。即ち、エレベータ１０１は、所謂、釣瓶式のエレベータとなっている。このように、メインロープ１０６は、駆動機構１０７の巻き上げ機により移動されることで、乗りかご１０３とカウンタウェイト１０４とを釣瓶式に昇降させる。
【００２０】
駆動機構１０７は、図１に示すように、例えば、昇降路の上部に設けられた機械室又は昇降路１００ａ内の上部などに設けられ、周知の巻き上げ機と、メインロープ１０６が掛け渡されて巻き上げ機により回転駆動される駆動シーブ１０７ａなどを備えている。駆動機構１０７は、巻き上げ機が駆動シーブ１０７ａを回転駆動することにより、メインロープ１０６を昇降路内で移動させて、乗りかご１０３とカウンタウェイト１０４を昇降させる。
【００２１】
表示装置１は、乗りかご１０３が停止する各階床１１０に設けられた表示手段１０と、制御手段２０とを備えている。表示手段１０は、図３に示すように、各階床１１０ａのホール側ドア１１０ｂの上方に設けられている。表示手段１０は、図３に示すように、表示手段１０が設けられた階床１１０を示す表示部１１と、複数の階床表示部１２と、複数の行先方向表示部１３とを備えている。
【００２２】
階床表示部１２は、表示部１１の下方に設けられ、乗りかご１０３が停止する階床１１０と１対１で対応しかつ点灯可能なものである。階床表示部１２は、表示部１１の下方に右から順に上の階床１１０に対応するものから設けられている。
【００２３】
階床表示部１２は、対応する階床１１０を示す文字が設けられかつ縦４ｃｍ、横３ｃｍ程度の透過性を有する四角形状の化粧板１２ａと、化粧板１２ａの奥に設けられたランプ又はＬＥＤなどで構成される図示しない点灯手段とを備えている。階床表示部１２は、点灯手段が連続的に点灯することで、連続的に点灯するとともに、点灯手段が点滅することで、点滅する。なお、図３、図４〜図８では、連続的に点灯した階床表示部１２を濃い網掛けで示し、点滅した階床表示部１２を薄い網掛けで示し、点灯も点滅もしていない階床表示部１２を白地で示している。
【００２４】
行先方向表示部１３は、乗りかご１０３の行先方向を示し、点灯可能なものである。行先方向表示部１３は、乗りかご１０３が上方に移動していることを示す上方移動表示部１３ａと、乗りかご１０３が下方に移動していることを示す下方移動表示部１３ｂとを備えている。上方移動表示部１３ａは、複数の階床表示部１２の右側に設けられ、下方移動表示部１３ｂは、複数の階床表示部１２の左側に設けられている。上方移動表示部１３ａと下方移動表示部１３ｂとは、乗りかご１０３の行先方向を示す印が設けられかつ縦４ｃｍ、横３ｃｍ程度の透過性を有する四角形状の化粧板１３ｃと、化粧板１３ｃの奥に設けられたランプ又はＬＥＤなどで構成される図示しない点灯手段とを備えている。行先方向表示部１３の上方移動表示部１３ａと下方移動表示部１３ｂは、点灯手段が連続的に点灯することで、連続的に点灯する。なお、図３、図４〜図８では、連続的に点灯した上方移動表示部１３ａ及び下方移動表示部１３ｂを、連続的に点灯した階床表示部１２と同様に、濃い網掛けで示し、点灯していない上方移動表示部１３ａ及び下方移動表示部１３ｂを階床表示部１２と同様に白地で示している。
【００２５】
制御手段２０は、例えば、昇降路内などに設けられる機器であって、図示しないＲＡＭ、ＲＯＭ、ＣＰＵ、入出力ポート及び記憶装置を備えた演算装置である。制御手段２０は、乗りかご１０３の行先階登録装置１０５や、各階床１１０に設けられた呼び登録装置１０２、駆動機構１０７などに接続して、エレベータ１０１全体の運転制御を行う。
【００２６】
また、制御手段２０は、階床表示部１２、行先方向表示部１３の点灯、点滅させるなどして、表示装置１の制御も行う。次に、制御手段２０の表示装置１の制御方法を図４〜図８に基いて説明する。図４は、実施形態に係るエレベータの乗りかごが最上階に位置した状態の乗り場表示装置などの正面図、図５は、図４に示された状態から乗りかごが下方に移動する状態の乗り場表示装置などの正面図、図６は、図５に示された状態から乗りかごが４階に位置した状態の乗り場表示装置などの正面図、図７は、図６に示された状態から乗りかごが２階に位置した状態の乗り場表示装置などの正面図、図８は、図７に示された状態から乗りかごが１階に停止した状態の乗り場表示装置などの正面図である。
【００２７】
制御手段２０は、複数の階床表示部１２のうち呼び登録装置１０２から呼び登録された階床１１０に対応する階床表示部１２及び行先階登録装置１０５から行先階登録された階床１１０に対応する階床表示部１２と、乗りかご１０３が位置する階床１１０に対応する階床表示部１２とを異なる態様で点灯させる。また、制御手段２０は、乗りかご１０３の行先方向を示す行先方向表示部１３の上方移動表示部１３ａと下方移動表示部１３ｂとのうち一方と、乗りかご１０３が位置する階床１１０に対応する階床表示部１２とを同じ態様で点灯させる。制御手段２０は、乗りかご１０３が位置する階床１１０に対応する階床表示部１２を連続的に点灯させる。制御手段２０は、乗りかご１０３の行先方向を示す行先方向表示部１３の上方移動表示部１３ａと下方移動表示部１３ｂとのうちの一方を連続的に点灯させる。制御手段２０は、呼び登録された階床１１０に対応する階床表示部１２を点滅させる。制御手段２０は、行先階登録された階床１１０に対応する階床表示部１２を点滅させる。
【００２８】
制御手段２０は、乗りかご１０３が所定の階床１１０に停止（位置）している状態では、乗りかご１０３が停止（位置）している階床１１０に対応した階床表示部１２を連続的に点灯させる。例えば、乗りかご１０３が最上階の階床１１０である５階に停止（位置）した状態では、図４に示すように、制御手段２０は、５階に対応した階床表示部１２を連続的に点灯させる。
【００２９】
そして、制御手段２０は、乗りかご１０３内の行先階登録装置１０５から乗りかご１０３が停止（位置）している階床１１０よりも下方の階床１１０の行先階登録される、又は、乗りかご１０３が停止（位置）している階床１１０よりも下方の階床１１０の呼び登録装置１０２から呼び登録されると、呼び登録又は行先階登録された階床１１０に対応する階床表示部１２を点滅させる。また、制御手段２０は、行先方向表示部１３のうちの上方移動表示部１３ａと下方移動表示部１３ｂのうちの呼び登録又は行先階登録された階床１１０に向かう行先方向に対応したものを連続的に点灯させる。
【００３０】
例えば、乗りかご１０３が最上階の階床１１０である５階に停止（位置）した状態で、２階の呼び登録又は行先階登録されると、図５に示すように、制御手段２０は、下方移動表示部１３ｂを５階に対応する階床表示部１２と同じ態様である連続的に点灯させ、呼び登録又は行先階登録された２階に対応する階床表示部１２を、５階に対応する階床表示部１２と異なる態様として点滅させる。
【００３１】
そして、制御手段２０は、乗りかご１０３が呼び登録又は行先階登録された階床１１０に向かって行先方向表示部１３が示す方向に移動していくと、位置検出装置１０３ｄの検出結果に基づいて、乗りかご１０３が位置（通過）した階床１１０に対応した階床表示部１２を順に点灯させる。また、制御手段２０は、呼び登録装置１０２又は行先階登録装置１０５から呼び登録又は行先階登録されると、呼び登録又は行先階登録された階床１１０に対応する階床表示部１２を点滅させる。
【００３２】
例えば、乗りかご１０３が５階から下方に移動している最中に、４階を通過するとともに１階の呼び登録又は行先階登録されると、図６に示すように、制御手段２０は、４階に対応する階床表示部１２を連続的に点灯させ、呼び登録又は行先階登録された１階に対応する階床表示部１２を、４階に対応する階床表示部１２と異なる態様として点滅させる。
【００３３】
そして、制御手段２０は、乗りかご１０３が呼び登録又は行先階登録された階床１１０に停止すると、乗りかご１０３が停止した階床１１０に対応した階床表示部１２を点滅させた状態から連続的に点灯させる。例えば、乗りかご１０３が下方に向かって移動して４階、３階を通過した後に、呼び登録又は行先階登録された２階に停止すると、図７に示すように、制御手段２０は、２階に対応した階床表示部１２を点滅させた状態から連続的に点灯させる。
【００３４】
そして、制御手段２０は、乗りかご１０３が呼び登録又は行先階登録された階床１１０に向かって行先方向表示部１３が示す方向に移動していくと、行先方向表示部１３が示す行先方向の最後の呼び登録又は行先階登録された階床１１０に乗りかご１０３が停止（位置）すると、停止した階床１１０に対応した階床表示部１２を点滅させた状態から連続的に点灯させるとともに、行先方向表示部１３を消灯させる。例えば、乗りかご１０３が下方に向かって移動して２階を通過した後に、呼び登録又は行先階登録された最後の１階に停止すると、図８に示すように、制御手段２０は、１階に対応した階床表示部１２を点滅させた状態から連続的に点灯させるとともに、行先方向表示部１３の下方移動表示部１３ｂを消灯させる。
【００３５】
実施形態に係る表示装置１によれば、制御手段２０が、複数の階床表示部１２のうち呼び登録装置１０２から呼び登録及び行先階登録装置１０５から行先階登録された階床１１０に対応する階床表示部１２と、乗りかご１０３が位置する階床１１０に対応する階床表示部１２と、を異なる態様で点灯させる。このために、各階床１１０の乗り場の乗客が、乗りかご１０３の位置する階床１１０とともに、乗りかご１０３が停止する予定の階床１１０とを把握することができる。したがって、表示装置１によれば、各階床１１０の乗り場から乗りかご１０３が到着するまでの待ち時間を把握（予想）することができる。
【００３６】
また、表示装置１によれば、制御手段２０が行先方向表示部１３と乗りかご１０３が位置する階床１１０に対応する階床表示部１２とを同じ態様で点灯させる。このために、各階床１１０の乗り場の乗客が、乗りかご１０３の位置する階床１１０と乗りかご１０３が停止する予定の階床１１０とともに、乗りかご１０３の行先方向も把握することができるので、各階床１１０の乗り場から乗りかご１０３が到着するまでの待ち時間をより正確に把握（予想）することができる。
【００３７】
さらに、表示装置１によれば、制御手段２０が呼び登録又は行先階登録された階床１１０に対応する階床表示部１２を点滅させるので、各階床１１０の乗り場の乗客が、乗りかご１０３が停止する予定の階床１１０をより確実に把握することができる。
【００３８】
［変形例］
本発明の実施形態の変形例に係るエレベータの制御手段を図面に基いて説明する。図９は、実施形態の変形例に係るエレベータの乗り場表示装置が設けられるエレベータの全体の構成を模式的に示す説明図である。なお、図９において、実施形態と同一部分には、同一符号を付して説明を省略する。
【００３９】
変形例では、制御手段２０は、建造物に設置された複数のエレベータ１０１の運転を制御するものである。制御手段２０は、実施形態に記載された制御に加え、複数のエレベータ１０１の群管理制御を実行する。群管理制御とは、具体的には、複数のエレベータ１０１の呼び登録装置１０２のうちいずれかから呼び登録がされた場合、呼び登録に応答する最適なエレベータ１０１の乗りかご１０３を割り当てることをいう。制御手段２０は、複数のエレベータ１０１の乗りかご１０３の運転を効率的に割り振り、複数のエレベータ１０１全体として効率的な運転サービスを行う。変形例の制御手段２０は、実施形態と同様に、階床表示部１２、行先方向表示部１３の点灯、点滅させるなどして、表示装置１の制御も行う。
【００４０】
変形例の制御手段２０によれば、前述した実施形態と同様に、各階床１１０の乗り場から乗りかご１０３が到着するまでの待ち時間を把握（予想）することができる。
【００４１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４２】
１  エレベータの表示装置
１２  階床表示部
１３  行先方向表示部
２０  制御手段
１００  建造物
１０１  エレベータ
１０２  呼び登録装置
１０３  乗りかご
１０５  行先階登録装置
１１０  階床
【図１】
2015168549.tif 000003
【図２】
2015168549.tif 000004
【図３】
2015168549.tif 000005
【図４】
2015168549.tif 000006
【図５】
2015168549.tif 000007
【図６】
2015168549.tif 000008
【図７】
2015168549.tif 000009
【図８】
2015168549.tif 000010
【図９】
2015168549.tif 000011
【手続補正書】
【提出日】平成26年4月14日(2014.4.14)
【手続補正１】
【補正対象書類名】明細書
【補正対象項目名】００２０
【補正方法】変更
【補正の内容】
【００２０】
駆動機構１０７は、図１に示すように、例えば、昇降路１００ａの上部に設けられた機械室又は昇降路１００ａ内の上部などに設けられ、周知の巻き上げ機と、メインロープ１０６が掛け渡されて巻き上げ機により回転駆動される駆動シーブ１０７ａなどを備えている。駆動機構１０７は、巻き上げ機が駆動シーブ１０７ａを回転駆動することにより、メインロープ１０６を昇降路１００ａ内で移動させて、乗りかご１０３とカウンタウェイト１０４を昇降させる。
【手続補正２】
【補正対象書類名】明細書
【補正対象項目名】００２１
【補正方法】変更
【補正の内容】
【００２１】
表示装置１は、乗りかご１０３が停止する各階床１１０に設けられた表示手段１０と、制御手段２０とを備えている。表示手段１０は、図３に示すように、各階床１１０のホール側ドア１１０ｂの上方に設けられている。表示手段１０は、図３に示すように、表示手段１０が設けられた階床１１０を示す表示部１１と、複数の階床表示部１２と、複数の行先方向表示部１３とを備えている。
【手続補正３】
【補正対象書類名】明細書
【補正対象項目名】００２５
【補正方法】変更
【補正の内容】
【００２５】
制御手段２０は、例えば、昇降路１００ａ内などに設けられる機器であって、図示しないＲＡＭ、ＲＯＭ、ＣＰＵ、入出力ポート及び記憶装置を備えた演算装置である。制御手段２０は、乗りかご１０３の行先階登録装置１０５や、各階床１１０に設けられた呼び登録装置１０２、駆動機構１０７などに接続して、エレベータ１０１全体の運転制御を行う。
【手続補正４】
【補正対象書類名】明細書
【補正対象項目名】００２６
【補正方法】変更
【補正の内容】
【００２６】
また、制御手段２０は、階床表示部１２、行先方向表示部１３を点灯、点滅させるなどして、表示装置１の制御も行う。次に、制御手段２０の表示装置１の制御方法を図４〜図８に基いて説明する。図４は、実施形態に係るエレベータの乗りかごが最上階に位置した状態の乗り場表示装置などの正面図、図５は、図４に示された状態から乗りかごが下方に移動する状態の乗り場表示装置などの正面図、図６は、図５に示された状態から乗りかごが４階に位置した状態の乗り場表示装置などの正面図、図７は、図６に示された状態から乗りかごが２階に位置した状態の乗り場表示装置などの正面図、図８は、図７に示された状態から乗りかごが１階に停止した状態の乗り場表示装置などの正面図である。
【手続補正５】
【補正対象書類名】明細書
【補正対象項目名】００３９
【補正方法】変更
【補正の内容】
【００３９】
変形例では、制御手段２０は、建造物に設置された複数のエレベータ１０１の運転を制御するものである。制御手段２０は、実施形態に記載された制御に加え、複数のエレベータ１０１の群管理制御を実行する。群管理制御とは、具体的には、複数のエレベータ１０１の呼び登録装置１０２のうちいずれかから呼び登録がされた場合、呼び登録に応答する最適なエレベータ１０１の乗りかご１０３を割り当てることをいう。制御手段２０は、複数のエレベータ１０１の乗りかご１０３の運転を効率的に割り振り、複数のエレベータ１０１全体として効率的な運転サービスを行う。変形例の制御手段２０は、実施形態と同様に、階床表示部１２、行先方向表示部１３を点灯、点滅させるなどして、表示装置１の制御も行う。
【手続補正６】
【補正対象書類名】明細書
【補正対象項目名】００４２
【補正方法】変更
【補正の内容】
【００４２】
１  エレベータの乗り場表示装置
１２  階床表示部
１３  行先方向表示部
２０  制御手段
１００  建造物
１０１  エレベータ
１０２  呼び登録装置
１０３  乗りかご
１０５  行先階登録装置
１１０  階床
【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
建造物の乗りかごが停止する階床に設けられたエレベータの乗り場表示装置において、前記乗りかごが停止する階床に対応しかつ点灯可能な複数の階床表示部と、前記複数の階床表示部のうち呼び登録装置から呼び登録された階床に対応する階床表示部及び行先階登録装置から行先階登録された階床に対応する階床表示部と、前記乗りかごが位置する階床に対応する階床表示部と、を異なる態様で点灯させる制御手段と、前記乗りかごの行先方向を示しかつ点灯可能な行先方向表示部と、を備え、前記制御手段は、前記乗りかごの前記呼び登録又は前記行先階登録された階床に向かう行先方向に対応した前記行先方向表示部と、前記乗りかごが位置する階床に対応する階床表示部と、を同じ態様で点灯させることを特徴とするエレベータの乗り場表示装置。
【請求項２】
前記制御手段は、
前記乗りかごが位置する階床に対応する階床表示部を連続的に点灯させ、
前記呼び登録された階床に対応する階床表示部及び前記行先階登録された階床に対応する階床表示部を点滅させる
ことを特徴とする請求項１記載のエレベータの乗り場表示装置。 
【手続補正２】
【補正対象書類名】明細書
【補正対象項目名】０００６
【補正方法】変更
【補正の内容】
【０００６】
実施形態のエレベータの乗り場表示装置は、建造物の乗りかごが停止する階床に設けられている。エレベータの乗り場表示装置は、複数の階床表示部と、制御手段と、行先方向表示部とを備える。階床表示部は、乗りかごが停止する階床に対応しかつ点灯可能である。制御手段は、複数の階床表示部のうち呼び登録装置から呼び登録及び行先階登録装置から行先階登録された階床に対応する階床表示部と、乗りかごが位置する階床に対応する階床表示部と、を異なる態様で点灯させる。行先方向表示部は、乗りかごの行先方向を示しかつ点灯可能である。制御手段は、乗りかごの呼び登録又は行先階登録された階床に向かう行先方向に対応した行先方向表示部と、乗りかごが位置する階床に対応する階床表示部と、を同じ態様で点灯させる。